(57)【要約】【課題】低コストでの製作ができ、かつその操作性にも優れたゴミ減容装置を提供する。【解決手段】適宜形状の外枠を形成し、該外枠内適所に押圧板をその一端を回動中心として回動可能に設けるとともに、押圧板下部に可動押圧板を押圧板に対し回動可能に設け、該押圧板および可動押圧板を駆動させるための押圧板駆動機構を外枠内に設けたことを特徴とする。【選択図】      図４
2006168989.tif 000002
【特許請求の範囲】
【請求項１】
適宜形状の外枠を形成し、該外枠内適所に押圧板をその一端を回動中心として回動可能に設けるとともに、押圧板下部に可動押圧板を押圧板に対し回動可能に設け、該押圧板および可動押圧板を駆動させるための押圧板駆動機構を外枠内に設けたことを特徴とするダストボックス用押圧減容装置。
【発明の詳細な説明】
【技術分野】
【０００１】  この発明は、ダストボックス内のゴミ容積を減少させるいわゆる減容装置に関する。
【背景技術】
【０００２】  従来より、ダストボックス（ゴミ箱）内のゴミを減容する装置があるが、油圧にて板体を上下させ、この板体にてゴミを圧縮するものであり、本発明にて示すように、クランク機構を用いたゴミ減容装置は見当たらない。
【発明の開示】
【発明が解決しようとする課題】
【０００３】  前述のように、従来のゴミ減容装置は油圧にて板体を上下させる方式であるため、油をシリンダーなどのアクチュエータに送り込むための油圧装置が必要となって装置全体として大がかりなものとなり、高価であるとともにその操作性も十分なものではなかった。
本発明は、以上のような従来からのゴミ減容装置に関わる課題を解決するために発明されたもので、モーターとクランク機構を用いた簡便なるゴミ減容装置を提供することを目的としたものである。
【課題を解決するための手段】
【０００４】  課題を解決する手段として本発明は、外枠とこの外枠内に設けられる押圧板および可動押圧板そして押圧板駆動機構によりその主要部を構成した。
すなわち、適宜形状の外枠を形成し、該外枠内適所に押圧板をその一端を回動中心として回動可能に設けるとともに、押圧板下部に可動押圧板を押圧板に対し回動可能に設け、該押圧板および可動押圧板を駆動させるための押圧板駆動機構を外枠内に設ける。
本発明は以上の構成よりなるダストボックス用押圧減容装置である。
【発明の効果】
【０００５】  本発明によれば、外枠内に押圧板と可動押圧板およびモーターを用いた押圧板駆動機構を設け、該機構にて押圧板の一端を回動中心として回動する押圧板とこの押圧板下部に可動押圧板を有しているので、従来のような油圧装置が不要となり、かつ板体の単純上下動ではなく回動によってゴミを圧縮する装置のため、能率よく圧縮・減容することができる。
また、押圧板と可動押圧板を有する簡便な装置のため、低コストでの設置を可能とする新規かつ有用なる装置を提供することができる。
【発明を実施するための最良の形態】
【０００６】  以下、本発明の実施形態について説明する。
図において、１は外枠で、金属製の長方形板体を接合して四角枠状に形成され、その下端の前部には平面視台形状の添板２が、後部には断面Ｌ形のあて板３が各々固着される。
また、外枠後部中間位置両側には支軸保持板４が各々固着される。この支軸保持板はＬ形板体の内側中間部に小形板体を固着した形状である。
５はモーター取り付け板で、平板に補強のためのコ字形板体を固着して形成され、外枠上部下面に固着される。６は複数のギアを組み合わせ内蔵した両軸の減速装置で、モーター取り付け板下部にビス止めされる。７はモーターで減速装置に一体に設けられる。なお、モーター取り付け板にはモーター軸突出のための孔およびビス止め用の孔が適宜に穿設される。８は平板状のメインアームで減速装置の一方の出力軸にその一端が取り付けられ、アーム他端には棒状のメインロッド９が軸支される。１０は同じく平板状のサブアームで減速装置の他方の出力軸にその一端が取り付けられ、サブアーム他端には棒状のサブロッド１１が軸支される。メインロッドとサブロッドは減速装置をはさんで対称位置に設けられるとともに、その軸支位置はメインロッドの位置に対しサブロッドはアーム回転中心よりやや離れて位置する。
１２は支軸で、前記の支軸保持板間にベアリング（図示略）を介して取り付けられる。
１３は押圧板である。この押圧板は複数の平板を固着して側面視略三角形状、平面視四角形状に形成され、図２にて示すようにその両側は伸延して支軸を通してこの支軸に固着される。また、略コ字形の支板１４が押圧板下部に固着される。そしてメインロッド下端はこの支板に軸支される。また、押圧板の下部の一部は可動押圧板１５として蝶番１６を介して回動可能に設けられ、この可動押圧板に略コ字形の支板１７が取り付けられ、サブロッド下端はこの支板１７に軸支される。
従って、アーム回転にて押圧板は支軸１２を回動中心として回動するが、前記のようにアームの回転中心からの位置がメインロッドとサブロッドでは異なっているので、図４にて示すように押圧板最下位置では押圧板に対して可動押圧板が開き、押圧板上位置では可動押圧板は押圧板の内部に位置することとなる。
以上のモーター、減速装置、各アーム、メインロッド、サブロッドにて押圧板駆動機構が構成される。なお、図示を略したが外枠適所に本装置作動のためのスイッチが添設され、モーターおよびスイッチに配電される。【０００７】  本発明を使用するには、まず減容しようとするゴミを入れたダストボックスを外枠下方に押しこむ。外枠には添板２が固着されているのでダストボックスはこの添板に沿って外枠内に入り込むが、外枠下方後部にはあて板３が位置しており、ダストボックス下部がこのあて板に当たる位置まで移動させる。また、支軸保持板の中間部に板体が位置しており、図２に示すようにダストボックスの上端はこの板体に近接して位置することとなり、ダストボックスの上方移動が制限される。また押圧板はダストボックス挿入の妨げとならないよう上方に移動させておく。
次ぎに、スイッチ操作にてモーターが回転を開始するとこのモーターと一体に構成される減速装置も同様に作動を開始する。減速装置の出力軸には各アームが取り付けられ、メインアームにメインロッド、サブアームにサブロッドが各々軸支され、メインロッド端に押圧板、サブロッド端に可動押圧板が各々軸支されているため、各アームは円運動するが各ロッドは往復運動に近い動きをする。押圧板の一端は回動可能な支軸に取り付けられており、支板を介して各ロッド端が軸支されている。従ってアームが回転すると押圧板は所定範囲内にて円弧形を画いて上下動をする。また、押圧板は両側とその前面および前面と所定角度を持って固着される下板により形成され、この下板に蝶番を介して可動押圧板が設けられている。従って、この押圧板の上下動にてダストボックス内のゴミを圧縮して減容することができ、また、可動押圧板は押圧板最下位置ではほぼ水平となり、ダストボックス内のゴミを効率よく圧縮減容することができる。減容終了後は既述と逆の作業にてダストボックスを取りだし、次の減容へと進むことができる。【０００８】  図６は本発明の他例を示すものである。既述の例は各ロッドを単なる棒体としているが、本例はこのロッドを分割し、スプリングを介在させてゴミ圧縮時に本装置の可動要素に過大な負荷がかからぬよう配慮したものである。
その下部に段部および孔を有する管状の上部ロッド２０の中に、段部を有する丸棒状のスライダー２１をスライド可能に位置させ、スライダー下部は下部ロッド２２に固着され、スライダー中間部に圧縮コイルスプリング２３を介在させた構造で、ゴミ圧縮時に過大な力が下部ロッドに加わると、スプリングの力に逆らってスライダーは上部ロッド内をスライドしながら上方に移動することができて、モーターが過負荷になることを防止し、各作動部の損傷を防ぐことができる。なお、一方のロッドのみをこの構成にし、他方のロッドを非伸縮構成としてもよい。なおその他の構成は前述の例と同様である。
以上説明したように、本発明はモーターを用いるとともに、押圧板の連続的上下動にてゴミを圧縮し、減容するものであるため、油圧を用いた従来の減容装置に比べてその構成が簡略であり、低コストにて製作可能であるとともにその操作も容易であるなど種々の利点を有するゴミ減容装置を得ることができる。
なお、既述の例は本発明の一実施形態であり、近似の他の形状としてもよい。また、通常は外枠を床面に固定設置して使用される。
【図面の簡単な説明】
【０００９】
【図１】  本発明の平面図
【図２】  本発明の正面図
【図３】  本発明の右側面図
【図４】  本発明の内部機構説明図（右側面視）
【図５】  本発明の作動説明図
【図６】  本発明の別例を示す要部構造説明図
【符号の説明】
【００１０】１  外枠
２  添板
３  あて板
４  支軸保持板
５  モーター取り付け板
６  減速装置
７  モーター
８  メインアーム
９  メインロッド
１０  サブアーム
１１  サブロッド
１２  支軸
１３  押圧板
１４  支板
１５  可動押圧板
１６  蝶番
１７  支板
２０  上部ロッド
２１  スライダー
２２  下部ロッド
２３  圧縮コイルスプリング
２４  ダストボックス
【図１】
2006168989.tif 000003
【図２】
2006168989.tif 000004
【図３】
2006168989.tif 000005
【図４】
2006168989.tif 000006
【図５】
2006168989.tif 000007
【図６】
2006168989.tif 000008